(57)【要約】本発明は、コード状の素材（２）を支持部（１）に固定する締結装置に関する。コード状の素材（２）を支持部（１）に固定する締結装置は、前記支持部（１）に固定する基部（６）と、前記コード状の素材（２）用の保持板（４）とを備え、スペーサ（５）が、前記保持板（４）を前記基部（６）に接続するように設けられ、第１接続状態では、前記スペーサ（５）と前記保持板（４）とが前記コード状の素材（２）の方向に、お互いに対してずれることができるように接続され、第２接続状態では、前記スペーサ（５）は前記保持板（４）と前記基部（６）とに接続されると共に前記保持板（４）は前記スペーサ（５）に固定されることを特徴とする。前記締結装置は、大変使いやすい。【選択図】図８
2010531414.tif 000002
【特許請求の範囲】
【請求項１】
線状体（２）をキャリア（１）に固定する締結装置であって、
前記キャリア（１）の上に固定される脚部（６）と、
前記線状体（２）用の収容板（４）と、
を備え、
中間部品（５）が、前記収容板（４）を前記脚部（６）に接続するように設けられ、
第１接続状態では、前記中間部品（５）と前記収容板（４）とが、前記線状体（２）の方向にお互いに対して移動することができるように接続され、
第２接続状態では、前記中間部品（５）が前記収容板（４）と前記脚部（６）とに接続されると共に、前記収容板（４）は前記中間部品（５）に固定されたことを特徴とする締結装置。
【請求項２】
歯形状部（４５）と相互作用する引掛部（５３）は、前記中間部品（５）に対して前記収容板（４）を固定するために設けられたことを特徴とする請求項１に記載の締結装置。
【請求項３】
前記引掛部（５３）は、前記中間部品（５）に配設されたことを特徴とする請求項２に記載の締結装置。
【請求項４】
前記引掛部（５３）は、押圧力が掛からないとき、前記歯形状部（４５）と係合しないことを特徴とする請求項２または３に記載の締結装置。
【請求項５】
前記引掛部（５３）は、前記第２接続状態において前記脚部（６）と当接し、該脚部（６）により前記歯形状部（４５）との係合を維持することを特徴とする請求項２から４に記載の締結装置。
【請求項６】
案内面（５１、５２）が前記中間部品（５）上に設けられ、
案内面（４１、４２）が前記収容板（４）に設けられ、
前記案内面（４１、４２、５１、５２）は、前記第１接続状態で相互作用するように設計されたことを特徴とする請求項１から５のいずれかに記載の締結装置。
【請求項７】
前記第１接続状態において、前記収容板（４）と中間部品（５）との間の自由移動を制限する係止部（４１１、４１２、４２１、４２２）を設けたことを特徴とする請求項１から６のいずれかに記載の締結装置。
【請求項８】
前記係止部（４１２、４２２）は、弾性的に配設されたことを特徴とする請求項７に記載の締結装置。
【請求項９】
滑り案内（５５、６３）が、前記脚部（６）と中間部品（５）とを接続するように設けられたことを特徴とする請求項１から８のいずれかに記載の締結装置。
【請求項１０】
前記滑り案内（５５、６３）は、前記線状体（２）の方向と垂直に方向付けられたことを特徴とする請求項９に記載の締結装置。
【請求項１１】
ラッチ部（５６）が、前記第２接続状態において、前記滑り案内（５５、６３）を阻止するように設けられたことを特徴とする請求項９または１０に記載の締結装置。
【請求項１２】
前記第２接続状態において、前記脚部（６）と中間部品（５）とはお互いに対して回転可能であることを特徴とする請求項１から１１に記載の締結装置。
【請求項１３】
前記脚部（６）は、前記キャリア（１）の裏側に係合する突出部（６１）を備えたことを特徴とする請求項１から１２に記載の締結装置。
【請求項１４】
閉塞手段（６２）が、前記突出部（６１）を阻止するように設けられたことを特徴とする請求項１３に記載の締結装置。
【発明の詳細な説明】
【技術分野】
【０００１】
本発明は、線状体(strand-like article)をキャリア(carrier)に固定する締結装置(fastening system)に関する。この締結装置は、キャリア上に固定するように設計された脚部を備えている。締結装置は更に収容板(accommodating plate)を備え、この収容板の上に、線状体を固定された状態に設置することができる。
【背景技術】
【０００２】
トラックの生産において、電線、空気圧と油圧ライン、および同程度の線状体が、例えばトラックのフレームなどのキャリアに固定される。上述した形式の単一部材からなる締結装置は公知である。前記フレームに接続された脚部は、収容板をフレームから間隔を隔てて維持する。線状体は収容板の上に配置され、収容板の上に固定される。この目的のため、結束手段が線状体の周り、および収容板の周りに案内されピンと張られて、その自由端が切り落とされる。フレーム上に線状体を固定する工程は、ある程度、適用するのに大きな力を必要とする複数の段階を備えている。
【発明の概要】
【発明が解決しようとする課題】
【０００３】
本発明の目的は、導入部で説明された型式の簡単に使用できる締結装置を提案することである。前記目的は、請求項１の特徴により達成される。有利な実施形態は従属項の中で見出されている。
【課題を解決するための手段】
【０００４】
本発明は、収容板が脚部に接続されるように介在する中間部品を提供する。第１接続状態において、中間部品と収容板とが線状体の長手方向に、お互いに対して移動することができるように接続されている。第２接続状態において、中間部品は収容板および脚部に接続され、これにより、中間部品は収容板と脚部との間の接続を構成する。第２接続状態において、収容板と中間部品とはもはやお互いに対して移動する可能性はなく、むしろ収容板は中間部品に対して固定される。
【０００５】
まず最初に、表現について少し説明する。収容板は、線状体に座面を提供する機能を有する。収容板は好適には平板形状であるが、表現される収容板はこれに限定されない。
【０００６】
移動可能な接続の場合、２部材間の移動の自由は、所定の自由度に限定される。この所定の自由度がある方向に作用する力は、２部材をお互いに対し移動することができる。前記接続が固定されると、つまり前記部材は他方向からの力に対しお互いに移動しない。仮に、２部材がお互いに対して固定されるのであれば、前記接続は全方向からの力に対して固定される。
【０００７】
本発明による締結装置は、最初は脚部および収容板を別々に取り扱うことを可能にする。脚部をキャリア上に分離する部分として固定し、収容板を線状体に対して分離する部分として接続することができる。その後の組立段階においてのみ、収容板は中間部品を介して脚部に接続される。収容板を線状体に現場で接続することができ代案として、線状体に予めこれに固定された収容板を設けておくことができる。
【０００８】
キャリアに対する線状体の長手方向の方位は、予め決められている。収容板を脚部に接続する目的のため、線状体をキャリアに対して動かすことはできず、収容板を線状体に対して動かすこともできない。収容板を脚部に接続するため、収容板は線状体の正しい位置に配置されなければならない。線状体に対する収容板の位置に関してある程度の許容範囲を考慮するため、第１接続状態において、中間部品を収容板に対して移動させることができる。すなわち、仮に、線状体に接続された収容板が脚部との対向位置に正確に配置されないのであれば、中間部品は動かされて、脚部と対向する位置に配置される。脚部と中間部品との間の接続により、同時に収容板と脚部との接続がなされる。
【０００９】
第２接続状態において、中間部品が脚部に接続されると、中間部品は収容板に対して固定される。本発明に係る締結装置により、線状体とキャリアとの間になされる接続は、全方向からの力に対して固定される。
【００１０】
中間部品に対して収容板を固定する目的のため、歯形状部と相互作用する引掛部(catch)を設けることが可能である。前記歯形状部は、線状体の方向、すなわち中間部品を収容板に対して動かすことが可能な方向に方向付けられている。前記引掛部が歯形状部と係合する位置に依存して、収容板と中間部品とはお互いに対して異なる位置に固定される。引掛部は、中間部品の構成要素の一部であってもよい。
【００１１】
第１接続状態において、収容板と中間部品との間の自由な配置は可能である。引掛部は、圧力が掛からないときに歯形状部と係合しないように構成されることが好ましい。任意の機構にとって、第１接続状態において引掛部を歯形状部から持ち上げる必要は全くない。しかし、引掛部は押圧力を加えられやすく、これにより収容板および中間部品が第２接続状態においてお互いに対して固定される。脚部は、第２接続状態において引掛部に押圧力をかけるように設計されることが好ましい。この目的のため、中間部品が脚部に接続されることで、引掛部は脚部に当接し、押圧されて歯形状部と係合する。
【００１２】
中間部品と収容板には案内面が設けられ、この案内面に沿って第１接続状態において、中間部品と収容板がお互いに対して移動することができる。中間部品と収容板とが誤ってお互いに分離することがないようにするため、係止部を設け、第１接続状態において中間部品と収容板との間の相対的な自由移動を制限することが可能である。係止部が弾力的な態様で吊設されるのであれば、横に押圧されることで中間部品と収容板とがお互いから分離する。中間部品と収容板とが分離され、係止部は横に押圧され、中間部品と収容板とを第１接続状態に移動させることができる。
【００１３】
収容板が線状体に接続されると、線状体とともに移動することができる。収容板を線状体の方向に平行に移動させるために、線状体を延ばし、および/または圧縮しなければならない。線状体はこの目的のため、僅かにだけ拡張する必要があるので、収容板が線状体と共に横に移動することは簡単である。そのような収容板の横方向の移動は、脚部に接続するためにも行われる。脚部と接続する際に、中間部品が案内される滑り案内が設けられることが好ましい。脚部と中間部品とをお互いに対して固定するため、必要とされる全てのことは、滑り案内を所定の場所に固定することである。ラッチ部は、滑り案内を第２接続状態に固定するために設けられることが好ましい。
【００１４】
収容板の方向が線状体によって予め決定されるため、脚部と中間部品との間の接続は、同様に回転運動に対して固定される必要がない。脚部と中間部品との間の接続が回転可能であれば、脚部は、キャリアに対して既に方向付けられているよりもむしろ、キャリアに任意の望まれる方向に接続することができるという有利な点を有する。
【００１５】
脚部をキャリアの上に固定する目的のため、脚部は突出部を備えてもよい。この突出部はキャリア内の開口部を貫通して案内され、キャリアの裏側に係合しキャリア上に脚部を保持する。突出部をこの位置に阻止する閉塞手段を設けることで、脚部がキャリアから誤って分離するのを防止することができる。
【００１６】
脚部は、第２接続状態において中間部品と収容板とが、キャリアから間隔を隔てた状態を維持するように設計されてもよい。これは、線状体もまた、キャリアから間隔を隔てた状態を維持され、埃が線状体とキャリアとの間に堆積しないことを意味する。
【００１７】
本発明は、後述する例により、好適な実施形態により、および添付図面を参照して説明される。
【図面の簡単な説明】
【００１８】
【図１】は本発明による収容板を示す。
【図２】は本発明による中間部品を示す。
【図３】は本発明による脚部を示す。
【図４】は第１接続状態にある図１の収容板および図２の中間部品を示す。
【図５】は図４と異なる斜視図を示す。
【図６】はキャリアに連結された図３の脚部を示す。
【図７】は第２接続状態にある本発明による締結装置を示す。
【図８】はキャリアに固定された本発明による締結装置を示す。
【発明を実施するための形態】
【００１９】
本発明による締結装置は、収容板４と中間部品５と脚部６とを備えている。脚部６は図６に示すように、キャリア１に連結されるように意図されている。電線、通信線または類似の線状体２が収容板４の上に固定されている。この目的のため、収容板４は結束手段３１、３２が案内され、線状体２の周りに位置するように貫通する小穴４３、４４を備えている。収容板４と中間部品５と脚部６とは、図８に示すように互いに接続され、この場合に線状体２はキャリア１の上に固定される。
【００２０】
収容板４は、中間部品５の案内面５１、５２と相互作用するように意図された案内面４１、４２を備えている。案内面４１、４２は線状体２の方向と平行に方向付けられており、係止部４１１、４１２および４２１、４２２により境界づけられている。係止部４１２、４２２は、弾性連結部４１３、４２３を介して収容板４の本体に連結されている。係止部４１２、４２２がスプリング力に抗して内方に押圧されると、それらはもはや、ガイド面４１、４２を超えて側面に突出することはない。中間部品５が、案内面５１、５２により係止部４１２、４２２を押圧すると、係止部４１２、４２２は内方に押圧されて、中間部品５は係止部４１２、４２２を超えて案内され、収容板４および中間部品５が図４および図５に示す第１接続状態に移る。第１接続状態では、中間部品５の案内面５１、５２は、収容板４の案内面４１、４２と摺接し、中間部品５は係止部４１１、４１２、４２１および４２２により予め決められた範囲内で収容板４に対して移動することができる。
【００２１】
収容板４は、中間部品５に対向する側面に歯形状部４５を備えている。中間部品５には、前記歯形状部４５と相互作用するように意図された引掛部５３が設けられている。押圧力が掛からないとき、引掛部５３は表面５４から突出せず、これにより中間部品５は収容板４に対して静止する。引掛部５３が歯形状部４５と係合しないので、中間部品５は収容板４に対して自由に移動することができる。引掛部５３に押圧力が掛かることにより、引掛部５３は歯形状部４５との係合状態に至り、中間部品５を収容板４に対して固定することができる。
【００２２】
脚部６は突出部６１を備えている。脚部６をキャリア１の上に固定する目的のため、突出部６１はキャリア１内の開口部を貫通して案内される。キャリア１の他の面では、突出部６１は拡大し、キャリア１の裏側と係合する。脚部６内に挿入されたピン６２は、突出部６１を拡大した状態に固定する。脚部６は固定方式でキャリア１に連結されている。
【００２３】
中間部品５を脚部６の上に固定するため、中間部品５は輪郭部５５を備えている。輪郭部５５は脚部６の頭部６３に適用され、脚部６の頭部６３と共に滑り案内を形成する。輪郭部５５は線状体２に垂直に方向付けられている。中間部品５は更に、ラッチ部５６を備えている。このラッチ部５６は、輪郭部５５が停止するまで脚部６の頭部６３の上で押圧されるとラッチする。ラッチ部５６は、頭部６３の外側円周部に係合し、輪郭部５５が脚部６から再び分離することを防止する。
【００２４】
中間部品５が脚部６の上で押圧されると、脚部６の頭部６３は輪郭部５５と摺接する。引掛部５３は頭部６３により押圧力を受け、歯形状部４５と係合する。これにより、収容板４は中間部品５に対して固定される。
【００２５】
脚部６は回転対称であり、すなわち中間部品５は回転可能に脚部６に連結される。図８に示すように脚部６は、収容板４がキャリア１から間隔を隔てて配設されることを維持するように設計されている。
【符号の説明】
【００２６】
１  キャリア
２  線状体
４  収容板
５  中間部品
６  脚部
４１,４２  案内面
４５  歯形状部
５１,５２  案内面
５３  引掛部
５５  輪郭部
５６  ラッチ部
４１１,４１２,４２１,４２２  係止部
６１  突出部
６３  頭部
【図１】
2010531414.tif 000003
【図２】
2010531414.tif 000004
【図３】
2010531414.tif 000005
【図４】
2010531414.tif 000006
【図５】
2010531414.tif 000007
【図６】
2010531414.tif 000008
【図７】
2010531414.tif 000009
【図８】
2010531414.tif 000010
【国際調査報告】
2010531414.tif 000011
2010531414.tif 000012
2010531414.tif 000013
2010531414.tif 000014
2010531414.tif 000015
2010531414.tif 000016